(57)【要約】【課題】良好なサイクル特性を備えた非水系二次電池用正極材料を提供する。【解決手段】非水系二次電池用正極材料の製造方法は、ホウ化ジルコニウム粒子を酸素含有雰囲気下、２２０℃以上３９０℃以下の熱処理温度で熱処理し、熱処理済み粒子を得る工程と、熱処理済み粒子と、組成にコバルトおよびニッケルの少なくとも一方を含み層状構造を有するリチウム遷移金属複合酸化物粒子を含む正極活物質とを、熱処理済み粒子のリチウム遷移金属複合酸化物粒子に対する含有率が、ジルコニウムとして０．２５ｍｏｌ％以上２．２ｍｏｌ％以下となるよう混合し、非水系二次電池用正極材料を得る工程とを含む。【選択図】図１
2018106980.tif 000002
【特許請求の範囲】
【請求項１】
ホウ化ジルコニウム粒子を酸素含有雰囲気下、２２０℃以上３９０℃以下の熱処理温度で熱処理し、熱処理済み粒子を得る工程と、
前記熱処理済み粒子と、組成にコバルトおよびニッケルの少なくとも一方を含み層状構造を有するリチウム遷移金属複合酸化物粒子を含む正極活物質とを、前記熱処理済み粒子の前記リチウム遷移金属複合酸化物粒子に対する含有率が、ジルコニウムとして０．２５ｍｏｌ％以上２．２ｍｏｌ％以下となるよう混合し、非水系二次電池用正極材料を得る工程と
を含む非水系二次電池用正極材料の製造方法。
【請求項２】
前記熱処理温度は、２７０℃以上３８０℃以下である請求項１に記載の非水系二次電池用正極材料の製造方法。
【請求項３】
前記熱処理温度は、３２０℃以上３７０℃以下である請求項２に記載の非水系二次電池用正極材料の製造方法。
【請求項４】
前記含有率が０．３ｍｏｌ％以上２．１ｍｏｌ％以下である請求項１から３のいずれかに記載の非水系二次電池用正極材料の製造方法。
【請求項５】
前記含有率が０．４ｍｏｌ％以上２．０ｍｏｌ％以下である請求項４に記載の非水系二次電池用正極材料の製造方法。
【請求項６】
得られる正極材料は、前記リチウム遷移金属複合酸化物粒子及びホウ化ジルコニウム粒子が、それぞれ実質的に独立した粒子として存在している請求項１から５いずれかに記載の非水系二次電池用正極材料の製造方法。
【請求項７】
前記リチウム遷移金属複合酸化物粒子が、下記式（１）
ＬｉａＮｉｘＣｏｙＭ１ｚＭ２ｗＯ２    （１）
（０．９５≦ａ≦１．５、０≦ｘ≦１、０≦ｙ≦１、ｘ＋ｙ≠０、０≦ｚ≦０．３５、０≦ｗ≦０．０２、ｘ＋ｙ＋ｚ＋ｗ≦１、Ｍ１はＡｌ、ＭｎおよびＭｇからなる群より選択される少なくとも一種の元素であり、Ｍ２はＴｉ、Ｚｒ、Ｗ、Ｔａ、ＮｂおよびＭｏからなる群より選択される少なくとも一種の元素である）で表される組成を有する請求項１から６のいずれかに記載の非水系二次電池用正極材料の製造方法。
【請求項８】
１．１質量％以上１．４質量％以下の割合で酸素を有するホウ化ジルコニウム粒子と、
組成にコバルトおよびニッケルの少なくとも一方を含み層状構造を有するリチウム遷移金属複合酸化物粒子を含む正極活物質と
を含み、
前記ホウ化ジルコニウム粒子の前記リチウム遷移金属複合酸化物粒子に対する含有率が、ジルコニウムとして０．２５ｍｏｌ％以上２．２ｍｏｌ％以下である非水系二次電池用正極材料。
【請求項９】
前記ホウ化ジルコニウム粒子は、１．１９質量％以上１．３８質量％以下の割合で酸素を有する請求項８に記載の非水系二次電池用正極材料。
【請求項１０】
前記ホウ化ジルコニウム粒子は、１．２５質量％以上１．３５質量％以下の割合で酸素を有する請求項９に記載の非水系二次電池用正極材料。
【請求項１１】
前記含有率が０．３ｍｏｌ％以上２．１ｍｏｌ％以下である請求項８から１０のいずれかに記載の非水系二次電池用正極材料。
【請求項１２】
前記含有率が０．４ｍｏｌ％以上２．０ｍｏｌ％以下である請求項１１に記載の非水系二次電池用正極材料。
【請求項１３】
前記ホウ化ジルコニウム粒子と前記リチウム遷移金属複合酸化物粒子が、それぞれ実質的に独立した粒子として存在している、請求項８から１２のいずれかに記載の非水系二次電池用正極材料。
【請求項１４】
前記リチウム遷移金属複合酸化物が、下記式（１）
ＬｉａＮｉｘＣｏｙＭ１ｚＭ２ｗＯ２    （１）
（０．９５≦ａ≦１．５、０≦ｘ≦１、０≦ｙ≦１、ｘ＋ｙ≠０、０≦ｚ≦０．３５、０≦ｗ≦０．０２、ｘ＋ｙ＋ｚ＋ｗ≦１、Ｍ１はＡｌ、ＭｎおよびＭｇからなる群より選択される少なくとも一種の元素であり、Ｍ２はＴｉ、Ｚｒ、Ｗ、Ｔａ、ＮｂおよびＭｏからなる群より選択される少なくとも一種の元素である）で表される組成を有する請求項８から１１のいずれかに記載の非水系二次電池用正極材料。
【請求項１５】
請求項８から１４のいずれかに記載の非水系二次電池用正極材料を含む正極と、
負極活物質を含む負極と、
フッ素を有するアニオンを含む電解質が溶解された非水電解液と
を備えた非水系二次電池。
【発明の詳細な説明】
【技術分野】
【０００１】
本開示は、非水系二次電池用正極材料、非水系二次電池および非水系二次電池用正極材料の製造方法に関する。
【背景技術】
【０００２】
リチウムイオン二次電池等の非水系二次電池は、携帯電話、ノートパソコン等の小型機器用電源として普及している。非水系二次電池は、平均動作電圧を高くすることが可能であるため、電気自動車等の大型機器の動力用電源としても検討されている。
【０００３】
特許文献１は、粒子表面にホウ化チタニウム粒子またはホウ化ジルコニウム粒子のうちの少なくとも一方が焼結しているリチウム含有遷移金属複合酸化物粒子を活物質として用いることを開示している。特許文献１によれば、ホウ化物粒子は導電助剤として機能し、リチウム遷移金属複合酸化物粒子の表面に焼結していることによって、充放電サイクルを繰り返してもこれらの粒子が分離しにくく、導電性向上の効果を維持し得るため、優れた出力特性を有することを開示している。
【先行技術文献】
【特許文献】
【０００４】
【特許文献１】特開２０１２−０４８８３８号公報
【発明の概要】
【発明が解決しようとする課題】
【０００５】
本開示は、良好なサイクル特性を備えた非水系二次電池用正極材料および非水系二次電池を提供する。
【課題を解決するための手段】
【０００６】
本開示の一実施形態に係る非水系二次電池用正極材料の製造方法は、ホウ化ジルコニウム粒子を酸素含有雰囲気下、２２０℃以上３９０℃以下の熱処理温度で熱処理し、熱処理済み粒子を得る工程と、前記熱処理済み粒子と、組成にコバルトおよびニッケルの少なくとも一方を含み層状構造を有するリチウム遷移金属複合酸化物粒子を含む正極活物質とを、前記熱処理済み粒子の前記リチウム遷移金属複合酸化物粒子に対する含有率が、ジルコニウムとして０．２５ｍｏｌ％以上２．２ｍｏｌ％以下となるよう混合し、非水系二次電池用正極材料を得る工程とを含む。
【０００７】
本開示の他の実施形態に係る非水系二次電池用正極材料は、１．１質量％以上１．４質量％以下の割合で酸素を有するホウ化ジルコニウム粒子と、組成にコバルトおよびニッケルの少なくとも一方を含み層状構造を有するリチウム遷移金属複合酸化物粒子を含む正極活物質とを含み、前記ホウ化ジルコニウム粒子の前記リチウム遷移金属複合酸化物粒子に対する含有率が、ジルコニウムとして０．２５ｍｏｌ％以上２．２ｍｏｌ％以下である。
【発明の効果】
【０００８】
本開示の実施形態に係る非水系二次電池用正極材料を用いると、サイクル特性に優れた非水系二次電池を実現することが可能になる。
【図面の簡単な説明】
【０００９】
【図１】図１は、ホウ化ジルコニウム粒子を熱処理する熱処理温度と、非水系二次電池の容量維持率および酸素含有率との関係の一例を示す。
【図２】図２は、ホウ化ジルコニウム粒子の含有率と非水系二次電池の容量維持率との関係の一例を示す。
【発明を実施するための形態】
【００１０】
非水系二次電池のエネルギー密度を高めるためには、より高い充電電圧で非水系二次電池を充電することが考えられる。組成にコバルトおよびニッケルの少なくとも一方を含み層状構造を有するリチウム遷移金属複合酸化物粒子を含む非水系二次電池用正極材料を用いた非水系二次電池においては、一般に充電電圧が４．２Ｖで用いられるのに対して、４．４４Ｖの高電圧にした場合、サイクル特性が顕著に低下し得ることが分かった。
【００１１】
サイクル特性が低下する原因の１つは、非水電解液を構成する溶媒および電解質に含まれるフッ素化合物が、高い充電電圧によって徐々に分解し、生成したフッ素イオン（フッ酸）が正極材料と反応するためであると推定される。したがって、サイクル特性の低下を抑制するためには、充放電を繰り返すうちに徐々に生成するフッ素イオンを補足することが考えられる。本願発明者は、このような検討および詳細な実験に基づき、新規な非水系二次電池用正極材料を想到した。以下、本開示の非水系二次電池用正極材料、非水系二次電池および非水系二次電池用正極材料の製造方法の実施形態を説明する。
【００１２】
以下に示す実施の形態は、本発明の技術思想を例示するものであって、本発明は、以下の非水系二次電池用正極材料およびその製造方法に限定されない。本明細書において「工程」との語は、独立した工程だけではなく、他の工程と明確に区別できない場合であってもその工程の所定の目的が達成されれば、本用語に含まれる。また組成物中の各成分の含有量は、組成物中に各成分に該当する物質が複数存在する場合、特に断らない限り、組成物中に存在する当該複数の物質の合計量を意味する。リチウム遷移金属複合酸化物粒子およびホウ化ジルコニウム粒子の平均粒径は、レーザー散乱法によって得られる粒度分布の小径側からの体積累積５０％に対応するリチウム遷移金属複合酸化物粒子およびホウ化ジルコニウム粒子の中心粒径である。
【００１３】
（非水系二次電池用正極材料）
本開示の非水系二次電池用正極材料は、正極活物質と、ホウ化ジルコニウム粒子とを含む。以下非水系二次電池用正極材料を詳細に説明する。
【００１４】
［正極活物質］
正極活物質は、リチウム遷移金属複合酸化物粒子をリチウム遷移金属複合酸化物として含む。遷移金属はコバルトおよびニッケルの少なくとも一方であり、リチウム遷移金属複合酸化物粒子はリチウムイオンの挿入および脱離が可能な空間を有する層状構造を有する。リチウム遷移金属複合酸化物粒子は、具体的には下記式（１）で示す組成を有する。
ＬｉａＮｉｘＣｏｙＭ１ｚＭ２ｗＯ２    （１）
ここで、
０．９５≦ａ≦１．５
０≦ｘ≦１
０≦ｙ≦１
ｘ＋ｙ≠０
０≦ｚ≦０．３５
０≦ｗ≦０．０２
ｘ＋ｙ＋ｚ＋ｗ≦１
であり、Ｍ１はＡｌおよびＭｎより選択される少なくとも一種の元素であり、Ｍ２はＭｇ、Ｔｉ、Ｚｒ、Ｗ、Ｔａ、ＮｂおよびＭｏからなる群より選択される少なくとも一種の元素である。
である。
【００１５】
リチウム遷移金属複合酸化物粒子において、リチウムの量が多いと出力特性が向上する傾向にあるが、リチウム遷移金属複合酸化物の合成が困難になる傾向がある。この点を考慮し、リチウム遷移金属複合酸化物の組成式（１）におけるａ値の範囲は０．９５≦ａ≦１．５に設定する。好ましいａ値の範囲は０．９８≦ａ≦１．２５であり、より好ましくは１≦ａ≦１．１５である。
【００１６】
リチウム遷移金属複合酸化物は遷移金属としてコバルトおよびニッケルの少なくとも一方を含む。コストと高電圧で充電時のリチウム遷移金属酸化物の構造の安定性の点から、リチウム遷移金属複合酸化物の組成式（１）におけるｘ値の範囲は０≦ｘ≦１、ｙ値の範囲は０≦ｙ≦１に設定する。コバルトを含む場合、コストが高くなるが、高電圧で充電した場合においても構造が安定していることから、好ましいｘ値およびｙ値の範囲は、０≦ｘ≦０．２、０．８≦ｙ≦１であり、より好ましくは、０≦ｘ≦０．１、０．９≦ｙ≦１である。ニッケルを含む場合、コバルトを含む場合と比べてコストは低くなるものの、高電圧で充電した場合に構造が若干不安定となることから、好ましいｘ値およびｙ値の範囲は、０．３≦ｘ≦０．８、０．１≦ｙ≦０．４５であり、より好ましくは、０．３≦ｘ≦０．６５、０．２≦ｙ≦０．４である。
【００１７】
リチウム遷移金属複合酸化物には、アルミニウムおよびマンガンからなる群より選択される少なくとも一種の元素Ｍ１を含有させることができる。充放電容量とリチウム遷移金属酸化物の構造の安定性の観点から、リチウム遷移金属複合酸化物の組成式（１）におけるｚ値の範囲は、０≦ｚ≦０．３５に設定する。コバルトを含む場合、好ましいｘ値、ｙ値およびｚ値の範囲は、０≦ｘ≦０．２、０．８≦ｙ≦１、０≦ｚ≦０．１であり、より好ましくは、０≦ｘ≦０．１、０．９≦ｙ≦１であって、０≦ｚ≦０．０５である。ニッケルを含む場合、好ましいｘ値、ｙ値およびｚ値の範囲は、０．３≦ｘ≦０．８であって、０．１≦ｙ≦０．４５、０≦ｚ≦０．３５である。
【００１８】
リチウム遷移金属複合酸化物にはさらにマグネシウム、チタン、ジルコニウム、タングステン、タンタル、ニオブおよびモリブデンからなる群より選択される少なくとも一種の元素Ｍ２を含有させることができる。元素Ｍ２の含有量は、非水系二次電池に求められる特性を考慮して、適宜決定し得る。但し、元素Ｍ２は容量が低下するので含有量はあまり多くないことが好ましい。この点を考慮し、リチウム遷移金属複合酸化物の組成式（１）におけるｗ値の範囲は０≦ｗ≦０．０５に設定する。各種特性のバランスを考慮すると、好ましいｗ値の範囲は０≦ｗ≦０．０２０ある。
【００１９】
正極活物質は副成分として、リチウムイオンを脱離および吸着可能な層状構造以外のリチウム遷移金属複合酸化物粒子が含まれていてもよい。層状構造以外のリチウム遷移金属複合酸化物粒子としては、例えばスピネル構造のリチウムマンガン複合酸化物、オリビン構造のリン酸鉄リチウム等を挙げることができる。正極活物質に含まれる組成式（１）で示される層状構造のリチウム遷移金属複合酸化物の含有率は、例えば９０重量％以上であり、９５重量％以上が好ましい。正極活物質が層状構造以外のリチウム遷移金属複合酸化物を含む場合、層状構造以外のリチウム遷移金属複合酸化物の含有率は、例えば１０重量％以下であり、５重量％以下が好ましい。
【００２０】
リチウム遷移金属複合酸化物粒子の平均粒径は、活物質層の充填性の観点から、平均粒径として例えば３μｍ以上４５μｍ以下であり、５μｍ以上３５μｍ以下が好ましい。
【００２１】
［ホウ化ジルコニウム粒子］
本開示の非水系二次電池用正極材料において、ホウ化ジルコニウム粒子は、非水電解液の分解生成物の１つであるフッ素イオンを補足する機能を有すると考えられる。具体的には、ホウ化ジルコニウム粒子が非水電解液に溶出し、非水電解液中においてフッ素イオンと反応し、ＢＦ４−イオンを生成することによって、フッ素イオンを不活性化させる。非水電解液の分解は、非水系二次電池の充放電の繰り返しによって徐々に生じるため、ホウ化ジルコニウム粒子も徐々に非水電解液へ溶出し、フッ素イオンを補足する機能を、充放電サイクルを繰り返しても発現することが好ましい。
【００２２】
このため、ホウ化ジルコニウム粒子は酸素を含んでいる。ホウ化ジルコニウム粒子に含まれる酸素は、例えば粒子表面に酸化ジルコニウム等として存在することにより、ホウ化ジルコニウムの非水電解液への溶出速度の制御ができると考えられる。またホウ化ジルコニウム粒子表面の酸化ジルコニウム等の存在により、正極材料を作製する際、正極活物質とホウ化ジルコニウム粒子との化学的な反応や、物理的な変化が抑制されていると考えられる。
【００２３】
ＢＦ４−イオンを生成するという観点では、ホウ化ジルコニウム粒子の替わりに、酸素を含有するホウ化チタン粒子を用いることも考えられる。しかし、酸素を含有するホウ化チタン粒子を用いた場合、４．４４Ｖの充電電圧でホウ化ジルコニウム粒子を用いた場合に比べて、初期の充放電特性が低下する。このため、ホウ素化合物としてホウ化ジルコニウムが優れている。
【００２４】
ホウ化ジルコニウム粒子は、１．１質量％以上１．４質量％以下の割合で酸素を有する。酸素の含有率が、１．１質量％未満である場合、ホウ化ジルコニウム粒子が急激に非水電解液に溶出し、抵抗となってサイクル特性が悪化する。また、酸素の含有率が、１．４質量％より大きい場合、ホウ化ジルコニウム粒子が十分に非水電解液に溶出せず、サイクル特性が悪化する。サイクル特性の向上の観点から、酸素含有率は、１．１９質量％以上１．３８質量％以下であることが好ましく、１．２５質量％以上１．３５質量％以下であることがより好ましい。ホウ化ジルコニウム粒子の酸素含有率は、例えば、非分散型赤外線吸収法などの元素分析装置などによって決定することができる。
【００２５】
ホウ化ジルコニウム粒子のリチウム遷移金属複合酸化物粒子に対する含有率は、ジルコニウムとして０．２５ｍｏｌ％以上２．２ｍｏｌ％以下である。その含有率が、０．２５ｍｏｌ％未満である場合、ホウ化ジルコニウム粒子の非水電解液への溶出量が少ないため、フッ素イオンをトラップする効果が十分ではなく、サイクル特性が悪化する。また、上記含有率が、２．２ｍｏｌ％より多い場合、ホウ化ジルコニウム粒子の非水電解液への溶出量が過剰になり、抵抗となってサイクル特性が悪化する。良好なサイクル特性の維持の観点から、含有率は０．３ｍｏｌ％以上２．１ｍｏｌ％以下であることが好ましく、０．４ｍｏｌ％以上２．０ｍｏｌ％以下であることがより好ましい。
【００２６】
ホウ化ジルコニウム粒子の平均粒径は、サイクル特性の観点から、平均粒径として、例えば１μｍ以上５μｍ以下であり、２．５μｍ以上４μｍ以下が好ましい。
【００２７】
酸素を含むホウ化ジルコニウム粒子は、市販品であってもよく、ホウ化ジルコニウム粒子を酸素含有雰囲気で熱処理して得られたものであってもよい。熱処理して得られたホウ化ジルコニウム粒子を用いることでサイクル特性がより向上する傾向がある。熱処理によって、酸素を含むホウ化ジルコニウム粒子を調製する場合には、後述するように、酸素の含有量は、熱処理温度に依存する。熱処理温度は、２７０℃以上３８０℃以下が好ましく、３２０℃以上３７０℃以下であることが好ましい。
【００２８】
上述したように、ホウ化ジルコニウム粒子は、非水電解液に溶出することによってサイクル特性の悪化を抑制し、ホウ化ジルコニウム粒子が直接、正極活物質と反応するのではないと考えられる。このため、正極材料中において、ホウ化ジルコニウム粒子とリチウム遷移金属複合酸化物粒子とは、それぞれ実質的に独立した粒子として存在していることが好ましい。独立した粒子として存在することにより、
リチウム遷移金属複合酸化物粒子と反応することなく、非水電解液へ溶出することが促進されると考えられる。ここで実質的に独立した粒子として含まれるとは、例えば、ホウ化ジルコニウム粒子とリチウム遷移金属複合酸化物粒子とが融合していたり、焼結して一体化していたりすることが観察されないことを意味する。具体的には例えば、ホウ化ジルコニウム粒子の平均粒径とリチウム遷移金属複合酸化物粒子の平均粒径とが相違する場合には、正極組成物の粒度分布において、熱処理済み粒子に由来するピークとリチウム遷移金属複合酸化物粒子に由来するピークとが観察できることを意味する。また、例えば走査型電子顕微鏡−エネルギー分散型Ｘ線分光分析装置を用いて、元素マッピングをすることで、熱処理済み粒子とリチウム遷移金属複合酸化物粒子とが実質的に独立した粒子として含まれることを観察することができる。
【００２９】
［他の添加剤］
非水系二次電池用正極材料は、正極活物質およびホウ化ジルコニウム粒子以外に、正極材料を構成する際に用いられる一般的な他の材料を含んでいてもよい。具体的には、導電助剤、結着剤、溶媒などを含んでいてもよい。
【００３０】
［効果等］
本開示の非水系二次電池用正極材料によれば、１．１質量％以上１．４質量％以下の割合で酸素を有するホウ化ジルコニウム粒子を含む。酸素を含有していることによって、ホウ化ジルコニウム粒子の非水電解液への溶解速度が調整され、ホウ化ジルコニウム粒子が徐々に非水電解液に溶解する。溶解したホウ化ジルコニウムは、充放電サイクルの繰り返しによって非水電解液中の電解質等に由来する分解生成物であるフッ素イオンを補足する。これによって、フッ素イオンと正極活物質が反応し、正極活物質のサイクル特性が低下するのを抑制することができる。
【００３１】
特許文献１のホウ化物粒子は、リチウム遷移金属酸化物粒子と混合した後、加熱することにより、リチウム含有遷移金属酸化物中に含まれるリチウム化合物と反応し、リチウム遷移金属酸化物表面に焼結しており、得られた反応物が、導電助剤として機能することで、出力特性が改善する。一方で、得られた反応物は、本件のホウ化ジルコニウムと比べて電解質への溶出量が少ないため、サイクル特性を維持するための電解質中のフッ素イオンを十分に補足することができない。したがって、特許文献１に開示されたホウ化ジルコニウム粒子と本開示の非水系二次電池用正極材料に含まれる酸素を有するホウ化ジルコニウム粒子とは、存在状態も機能も全く異なる。
【００３２】
（非水系二次電池）
本開示の非水系二次電池は、正極と、負極と非水電解液とを備える。
【００３３】
正極は上述の非水系二次電池用正極材料を含む。具体的には、正極は、集電体と、上述の非水系二次電池用正極材料、導電助剤、結着剤等を含み、集電体に支持された正極合剤層とを含む。
【００３４】
負極は負極活物質を含む。具体的には、負極は、集電体と、負極活物質、導電助剤、結着剤等を含み、集電体に支持された負極合剤層とを含む。
【００３５】
正極と負極とはセパレータを介して配置される。上述した非水系二次電池用正極材料以外の正極、負極、セパレータは、非水系二次電池に用いられる一般的な材料および製造方法を用いて製造することができる。
【００３６】
非水電解液は、非水溶媒と、フッ素を有するアニオンを含む電解質とを含む。非水溶媒として、環状炭酸エステル溶媒、鎖状炭酸エステル溶媒、環状エーテル溶媒、鎖状エーテル溶媒、環状エステル溶媒、鎖状エステル溶媒、フッ素化されたこれらの溶媒等を使用できる。
【００３７】
電解質は、フッ素を有するアニオンを含む、具体的には、ＬｉＰＦ６、ＬｉＢＦ４、ＬｉＳｂＦ６、ＬｉＡｓＦ６、ＬｉＳＯ３ＣＦ３、ＬｉＮ（ＳＯ２ＣＦ３）２、などのフッ素を有するアニオンを含むリチウム塩を単独で、あるいは２種以上用いることができる。リチウム塩以外の電解質を含んでいてもよい。
【００３８】
本開示の非水系二次電池によれば、非水電解液はフッ素を有するアニオンを含んでいる。非水系二次電池を例えば、４．４４Ｖ以上の高い充電電圧で充放電を繰り返す場合、電解質のフッ素を有するアニオンは、充電時に印加される電圧によって徐々に分解する。しかし、分解して生成したフッ素イオンは、
非水電解液に溶出したホウ化ジルコニウムと反応し、ＢＦ４−イオン等を生成することにより捕捉される。このため、フッ素イオンと正極活物質が反応することが抑制される。
【００３９】
（非水系二次電池用正極材料の製造方法）
本実施形態に係る非水系二次電池用正極材料の製造方法は、熱処理済み粒子を得る工程と非水系二次電池用正極材料を得る工程とを含む。以下これらを中心に説明する。
【００４０】
［熱処理済み粒子を得る工程］
熱処理済み粒子を得る工程では、ホウ化ジルコニウム粒子を酸素含有雰囲気下で熱処理し、熱処理済み粒子を得る。この工程は、ホウ化ジルコニウム粒子と、リチウム遷移金属複合酸化物粒子を含む正極活物質とを混合する前に、ホウ化ジルコニウム粒子単独で行う。熱処理前のホウ化ジルコニウム粒子の表面は、例えば、極めて薄い酸化ジルコニウムの層が形成されているが、酸素雰囲気下で熱処理することで、熱処理済み粒子では、より厚い酸化チタンの層が形成されていると推測される。こうして得られる熱処理済み粒子を含む正極材料を用いると、例えば、充電電圧４．４４Ｖ以上の高電圧条件で使用した際に、良好なサイクル特性が維持され得る。
【００４１】
熱処理に供するホウ化ジルコニウム粒子の純度は、安全性の観点から、例えば９５質量％以上であり、９８質量％以上が好ましい。また上述したようにホウ化ジルコニウム粒子の平均粒径は、例えば１μｍ以上５μｍ以下であり、２．５μｍ以上４μｍ以下が好ましい。
【００４２】
酸素含有雰囲気は酸素を含んでいればよい。例えば、酸素含有雰囲気における酸素含有率は、１０体積％以上であり、２０体積％以上が好ましい。上限に特に制限はなく、製造工程中の不可避的な他の気体を除き、酸素含有雰囲気は酸素のみを含んでいてもよい。生産性および安全性の観点から、酸素含有雰囲気は酸素以外の気体を含んでいてもよい。酸素以外の気体としては、例えば、窒素、アルゴン等の不活性ガスを挙げることができる。酸素含有雰囲気は、生産性の観点から、大気雰囲気であることが好ましい。
【００４３】
熱処理温度は、２２０℃以上３９０℃以下である。熱処理温度が２２０℃未満である場合、熱処理済みのホウ化ジルコニウム粒子が急激に非水電解液に溶出し、抵抗となってサイクル特性が悪化する。また、熱処理温度が３９０℃よりも高い場合、熱処理済みのホウ化ジルコニウム粒子が十分に非水電解液に溶出せず、サイクル特性が悪化する。サイクル特性の向上の観点から、熱処理温度は、２７０℃以上３８０℃以下であることが好ましく、３２０℃以上３７０℃以下であることがより好ましい。
【００４４】
熱処理時間は、得られるホウ化ジルコニウム粒子の酸素含有率が、例えば１．１質量％以上１．４質量％以下となるように設定すればよく、例えば、５時間以上１５時間以下である。ホウ化ジルコニウム粒子の熱処理は、例えばボックス炉を用いて行われる。
【００４５】
本開示の工程によって、熱処理済み粒子、具体的には、１．１質量％以上１．４質量％以下の割合で酸素を有するホウ化ジルコニウム粒子が得られる。なお、熱処理を行わない、市販のホウ化ジルコニウム粒子の酸素含有率は、１．０７質量％程度である。
【００４６】
＜非水系二次電池用正極材料を得る工程＞
非水系二次電池用正極材料を得る工程では、得られた熱処理済み粒子と特定の正極活物質とを特定の比率で混合し、目的の非水系二次電池用正極材料を得る。
【００４７】
［混合比率］
熱処理済み粒子のリチウム遷移金属複合酸化物粒子に対する含有率は、上述したように、サイクル特性の観点から、ジルコニウムとして、０．２５ｍｏｌ％以上２．２ｍｏｌ％以下である。含有率は０．３ｍｏｌ％以上２．１ｍｏｌ％以下であることが好ましく、０．４ｍｏｌ％以上２．０ｍｏｌ％以下であることがより好ましい。
【００４８】
［混合方法］
混合方法は、熱処理済み粒子と正極活物質とが、機械的または熱的エネルギー等の付与により化学的に反応したり、物理的に変化したりすることを抑制する方法であれば、その方法は特に限定されない。例えば公知の羽根式撹拌装置で熱処理済み粒子と正極活物質とを混合する方法が挙げられる。これにより得られる非水系二次電池用正極材料は、上述したようにホウ化ジルコニウム粒子と、リチウム遷移金属複合酸化物粒子とが、それぞれ実質的に独立した粒子として含む。  
【００４９】
（実施例）
種々の条件で非水系二次電池用正極材料を作製し、特性を調べた結果を以下に説明する。なお、リチウム遷移金属複合酸化物粒子およびホウ化ジルコニウム粒子の平均粒径は、レーザー散乱法によって得られる体積分布の、積算値が５０％となる値を用いた。具体的には日本新金属株式会社製ＴＩＢ２−ＮＦを用いて平均粒径を測定した。またホウ化ジルコニウム粒子の酸素成分の含有率（酸素含有率）は、酸素窒素分析装置（堀場製作所製ＥＭＧＡ−８２０）を用いて測定した。
【００５０】
１．非水系二次電池用正極材料の作製
［実施例１］
平均粒径が２．９μｍのホウ化ジルコニウム粒子を、大気中２５０℃で１０時間熱処理し、熱処理済み粒子を得た。熱処理済み粒子の酸素含有率は、１．１４質量％であった。
【００５１】
共沈法により、コバルト水酸化物を得た。得られたコバルト水酸化物と、炭酸リチウムとを、Ｌｉ：Ｃｏ＝１：１のモル比となるように混合し、原料混合物を得た。得られた原料混合物を大気雰囲気下、１０８０℃で６時間焼成し、焼結体を得た。得られた焼結体を粉砕し、乾式篩を通し、組成式Ｌｉ１．０２Ｃｏ１．０Ｏ２で表され、平均粒径が２７μｍであるリチウム遷移金属複合酸化物粒子を含む、正極活物質を得た。
【００５２】
得られた熱処理済み粒子と、得られた正極活物質とを、熱処理済み粒子がリチウム遷移金属複合酸化物に対してジルコニウムとして０．５ｍｏｌ％となるよう高速せん断ミキサーで混合し、実施例１の非水系二次電池用正極材料を得た。
【００５３】
［実施例２］
ホウ化ジルコニウム粒子の熱処理温度が３００℃であること以外、実施例１と同様に行い、実施例２の非水系二次電池用正極材料を得た。熱処理済みのホウ化ジルコニウム粒子の酸素含有率は、１．２質量％であった。
【００５４】
［実施例３］
ホウ化ジルコニウム粒子の熱処理温度が３５０℃であること以外、実施例１と同様に行い、実施例３の非水系二次電池用正極材料を得た。熱処理済みのホウ化ジルコニウム粒子の酸素含有率は、１．２７質量％であった。
【００５５】
［実施例４］
ホウ化ジルコニウム粒子の熱処理温度が３６０℃であること以外、実施例１と同様に行い、実施例４の非水系二次電池用正極材料を得た。
【００５６】
［実施例５］
ホウ化ジルコニウム粒子の熱処理温度が３７０℃であること以外、実施例１と同様に行い、実施例５の非水系二次電池用正極材料を得た。
【００５７】
［実施例６］
ホウ化ジルコニウム粒子の熱処理温度が３８０℃であること以外、実施例１と同様に行い、実施例６の非水系二次電池用正極材料を得た。
【００５８】
［実施例７］
ホウ化ジルコニウム粒子の熱処理温度が３９０℃であること以外、実施例１と同様に行い、実施例７の非水系二次電池用正極材料を得た。
【００５９】
［実施例８］
ホウ化ジルコニウム粒子の熱処理温度が３６０℃であり、熱処理済み粒子の含有率が、リチウム遷移金属複合酸化物に対してジルコニウムとして０．２５ｍｏｌ％であること以外、実施例１と同様に行い、実施例８の非水系二次電池用正極材料を得た。
【００６０】
［実施例９］
ホウ化ジルコニウム粒子の熱処理温度が３６０℃であり、熱処理済み粒子の含有率が、リチウム遷移金属複合酸化物に対してジルコニウムとして１ｍｏｌ％であること以外、実施例１と同様に行い、実施例８の非水系二次電池用正極材料を得た。
【００６１】
［実施例１０］
ホウ化ジルコニウム粒子の熱処理温度が３６０℃であり、熱処理済み粒子の含有率が、リチウム遷移金属複合酸化物に対してジルコニウムとして１．５ｍｏｌ％であること以外、実施例１と同様に行い、実施例８の非水系二次電池用正極材料を得た。
【００６２】
［実施例１１］
ホウ化ジルコニウム粒子の熱処理温度が３６０℃であり、熱処理済み粒子の含有率が、リチウム遷移金属複合酸化物に対してジルコニウムとして２ｍｏｌ％であること以外、実施例１と同様に行い、実施例８の非水系二次電池用正極材料を得た。
【００６３】
［比較例１］
ホウ化ジルコニウム粒子を添加しないこと以外、実施例１と同様に行い、比較例１の非水系二次電池用正極材料を得た。
【００６４】
［比較例２］
ホウ化ジルコニウム粒子の熱処理温度が４００℃であり、熱処理済み粒子の含有率が、リチウム遷移金属複合酸化物に対してジルコニウムとして０．５ｍｏｌ％であること以外、実施例１と同様に行い、比較例２の非水系二次電池用正極材料を得た。
【００６５】
［比較例３］
ホウ化ジルコニウム粒子の熱処理温度が３６０℃であり、熱処理済み粒子の含有率が、リチウム遷移金属複合酸化物に対してジルコニウムとして２．５ｍｏｌ％であること以外、実施例１と同様に行い、比較例３の非水系二次電池用正極材料を得た。
【００６６】
［比較例４］
ホウ化ジルコニウム粒子の熱処を行わず、ホウ化ジルコニウム粒子の含有率が、リチウム遷移金属複合酸化物に対してジルコニウムとして０．５ｍｏｌ％であること以外、実施例１と同様に行い、比較例４の非水系二次電池用正極材料を得た。
【００６７】
２．評価用電池の作製
実施例１〜１１および比較例１〜４の二次電池用正極材料をそれぞれ用い、以下の要領で評価用の非水電解液二次電池を得た。
【００６８】
［正極の作製］
正極組成物９２質量部、アセチレンブラック３質量部、ポリフッ化ビニリデン５質量部をＮ−メチルピロリドンに分散させて正極スラリーを得た。得られた正極スラリーをアルミニウム箔からなる集電体に塗布し、乾燥後ロールプレス機で圧縮成形し、所定サイズに裁断して正極を得た。
【００６９】
［負極の作製］
人造黒鉛９７．５質量部、カルボキシメチルセルロース１．５質量部、スチレンブタジエンゴム１．０質量部を水に分散させて負極スラリーを得た。得られた負極スラリーを銅箔からなる集電体に塗布し、乾燥後ロールプレス機で圧縮成形し、所定サイズに裁断して負極を得た。
【００７０】
［非水電解液の作製］
エチルカーボネートとメチルエチルカーボネートを体積比３：７で混合し、混合溶媒を得た。得られた混合溶媒に、ヘキサフルオロリン酸リチウムを、その濃度が１．０ｍｏｌ％となるように溶解させ、非水電解液を得た。
【００７１】
［セパレータの準備］
多孔性ポリエチレンからなるセパレータを準備した。
【００７２】
［非水電解液二次電池の組み立て］
上記正極と負極の集電体に、それぞれリード電極を取り付けたのち１２０℃で真空乾燥を行った。次いで、正極と負極との間に上記セパレータを配し、袋状のラミネートパックにそれらを収納した。収納後６０℃で真空乾燥して各部材に吸着した水分を除去した。真空乾燥後、ラミネートパック内に、上記非水電解液を注入、封止し、評価用電池としてのラミネートタイプの非水電解液二次電池を得た。得られた評価用電池を用い、以下の電池特性の評価を行った。
【００７３】
［サイクル特性の評価］
評価用電池を４５℃の恒温槽に設置し、充電電圧４．４４Ｖで定電圧充電を行った。充電後、放電電圧２．７５Ｖで定電圧放電を行い、１サイクル目の放電容量Ｑｄｃｙｃ（１）を測定した。以下充電と放電を繰り返し、最後に１００サイクル目の放電容量Ｑｃｙｃ（１００）を測定した。得られたＱｃｙｃ（１）およびＱｃｙｃ（１００）から１００サイクル後の容量維持率Ｐｃｙｃ（＝Ｑｃｙｃ（１００）／Ｑｃｙｃ（１））を算出した。
【００７４】
表１に、実施例１〜１１および比較例１〜４の非水系二次電池用正極材料の製造時におけるホウ化ジルコニウム粒子の熱処理温度、含有率および評価用電池のサイクル特性を示す。また、表２に比較実施例１、２、３および比較例２、４の非水系二次電池用正極材料の製造時におけるホウ化ジルコニウム粒子の熱処理温度および酸素含有率を示す。
【００７５】
【表１】
2018106980.tif 000003
【００７６】
【表２】
2018106980.tif 000004
【００７７】
比較例１および比較例４の結果から、熱処理を行わないホウ化ジルコニウム粒子を非水系二次電池用正極材料に添加すると、ホウ化ジルコニウム粒子を添加しない場合に比べてサイクル特性が悪くなっている。これは、熱処理をしないホウ化ジルコニウム粒子は非水電解液に溶出しやすく、電池特性に悪影響を与えると考えられる。また、実施例１〜７および比較例２の結果から、熱処理温度が、３９０℃を超えるとサイクル特性が低下する。同様に、実施例８〜１１および比較例３の結果から、ホウ化ジルコニウム粒子の含有率が２．５ｍｏｌ％以上になるとサイクル特性が低下する。これらの結果から、適切な温度範囲において熱処理したホウ化ジルコニウム粒子を所定の割合でリチウム遷移金属複合酸化物粒子と混合することによって、良好なサイクル特性を備えた非水系二次電池を実現し得ることが分る。
【００７８】
図１に、ホウ化ジルコニウムの含有率が０．５ｍｏｌ％である場合における熱処理温度と、サイクル特性および酸素含有率との関係を示す。図２に熱処理温度が３６０℃である場合におけるホウ化ジルコニウム粒子の含有率とサイクル特性との関係を示す。０．５ｍｏｌ％および３６０℃は、それぞれホウ化ジルコニウムの含有率の最も好ましい範囲内の含有率おおよび熱処理温度の最も好ましい範囲内の熱処理温度である。
【００７９】
図１より、２２０℃以上３９０℃以下の熱処理温度の範囲で６３％以上の容量維持率が得られていることが分かる。また、２７０℃以上３８０℃以下の温度範囲にて６７％以上の容量維持率が得られ、３２０℃以上３７０℃以下の温度範囲において、７１％以上の容量維持率が得られている。
【００８０】
ホウ化ジルコニウムの酸素含有率はおおむね熱処理温度に比例していることが分かる。２２０℃以上３９０℃以下の熱処理温度の範囲において、ホウ化ジルコニウムの酸素含有率は１．１質量％以上１．４質量％以下である。また、ホウ化ジルコニウムの酸素含有率は、２７０℃以上３８０℃以下の温度範囲において、１．１９質量％以上１．３８質量％以下であり、３２０℃以上３７０℃以下の温度範囲において１．２５質量％以上１．３５質量％以下であることが分かる。
【００８１】
図２より、ホウ化ジルコニウム粒子のリチウム遷移金属複合酸化物粒子に対する含有率が、ジルコニウムとして０．２５ｍｏｌ％以上２．２ｍｏｌ％以下の範囲において、６３％以上の容量維持率が得られていることが分かる。また、含有率が、０．３ｍｏｌ％以上２．１ｍｏｌ％以下の範囲において、６７％以上の容量維持率が得られており、含有率が０．４ｍｏｌ％以上２．０ｍｏｌ％以下の範囲において、７１％以上の容量維持率が得られている。
【００８２】
上述したように、本開示の非水系二次電池において、良好なサイクル特性は、ホウ化ジルコニウム粒子のホウ素によるフッ素イオンの補足に関係していると考えられる。この機能の発現は、本実施例において、例示的に用いた、組成式Ｌｉ１．０２Ｃｏ１．０Ｏ２で表されるリチウム遷移金属複合酸化物粒子を含む正極活物質を用いた場合に限られず、上述した種々の組成の範囲のリチウム遷移金属複合酸化物粒子を含む正極活物質を用いた場合であれば同様の効果を奏することができると考えられる。
【産業上の利用可能性】
【００８３】
本開示の実施形態によって得られる非水系二次電池用正極材料を用いると、高電圧におけるサイクル特性に優れた非水系二次電池を得ることが可能になる。そのため、得られる非水系二次電池は、電気自動車等の高出力、高エネルギー密度が求められる大型機器に好適に利用可能である。
【図１】
2018106980.tif 000005
【図２】
2018106980.tif 000006
【手続補正書】
【提出日】平成30年1月29日(2018.1.29)
【手続補正１】
【補正対象書類名】明細書
【補正対象項目名】００１１
【補正方法】変更
【補正の内容】
【００１１】
サイクル特性が低下する原因の１つは、非水電解液を構成する溶媒および電解質に含まれるフッ素化合物が、高い充電電圧によって徐々に分解し、生成したフッ素イオン（フッ酸）が正極材料と反応するためであると推定される。したがって、サイクル特性の低下を抑制するためには、充放電を繰り返すうちに徐々に生成するフッ素イオンを捕捉することが考えられる。本願発明者は、このような検討および詳細な実験に基づき、新規な非水系二次電池用正極材料を想到した。以下、本開示の非水系二次電池用正極材料、非水系二次電池および非水系二次電池用正極材料の製造方法の実施形態を説明する。
【手続補正２】
【補正対象書類名】明細書
【補正対象項目名】００２１
【補正方法】変更
【補正の内容】
【００２１】
［ホウ化ジルコニウム粒子］
本開示の非水系二次電池用正極材料において、ホウ化ジルコニウム粒子は、非水電解液の分解生成物の１つであるフッ素イオンを捕捉する機能を有すると考えられる。具体的には、ホウ化ジルコニウム粒子が非水電解液に溶出し、非水電解液中においてフッ素イオンと反応し、ＢＦ４−イオンを生成することによって、フッ素イオンを不活性化させる。非水電解液の分解は、非水系二次電池の充放電の繰り返しによって徐々に生じるため、ホウ化ジルコニウム粒子も徐々に非水電解液へ溶出し、フッ素イオンを捕捉する機能を、充放電サイクルを繰り返しても発現することが好ましい。
【手続補正３】
【補正対象書類名】明細書
【補正対象項目名】００３０
【補正方法】変更
【補正の内容】
【００３０】
［効果等］
本開示の非水系二次電池用正極材料によれば、１．１質量％以上１．４質量％以下の割合で酸素を有するホウ化ジルコニウム粒子を含む。酸素を含有していることによって、ホウ化ジルコニウム粒子の非水電解液への溶解速度が調整され、ホウ化ジルコニウム粒子が徐々に非水電解液に溶解する。溶解したホウ化ジルコニウムは、充放電サイクルの繰り返しによって非水電解液中の電解質等に由来する分解生成物であるフッ素イオンを捕捉する。これによって、フッ素イオンと正極活物質が反応し、正極活物質のサイクル特性が低下するのを抑制することができる。
【手続補正４】
【補正対象書類名】明細書
【補正対象項目名】００３１
【補正方法】変更
【補正の内容】
【００３１】
特許文献１のホウ化物粒子は、リチウム遷移金属酸化物粒子と混合した後、加熱することにより、リチウム含有遷移金属酸化物中に含まれるリチウム化合物と反応し、リチウム遷移金属酸化物表面に焼結しており、得られた反応物が、導電助剤として機能することで、出力特性が改善する。一方で、得られた反応物は、本件のホウ化ジルコニウムと比べて電解質への溶出量が少ないため、サイクル特性を維持するための電解質中のフッ素イオンを十分に捕捉することができない。したがって、特許文献１に開示されたホウ化ジルコニウム粒子と本開示の非水系二次電池用正極材料に含まれる酸素を有するホウ化ジルコニウム粒子とは、存在状態も機能も全く異なる。
【手続補正５】
【補正対象書類名】明細書
【補正対象項目名】００８２
【補正方法】変更
【補正の内容】
【００８２】
上述したように、本開示の非水系二次電池において、良好なサイクル特性は、ホウ化ジルコニウム粒子のホウ素によるフッ素イオンの捕捉に関係していると考えられる。この機能の発現は、本実施例において、例示的に用いた、組成式Ｌｉ１．０２Ｃｏ１．０Ｏ２で表されるリチウム遷移金属複合酸化物粒子を含む正極活物質を用いた場合に限られず、上述した種々の組成の範囲のリチウム遷移金属複合酸化物粒子を含む正極活物質を用いた場合であれば同様の効果を奏することができると考えられる。
【手続補正６】
【補正対象書類名】特許請求の範囲
【補正対象項目名】全文
【補正方法】変更
【補正の内容】
【特許請求の範囲】
【請求項１】
ホウ化ジルコニウム粒子を酸素含有雰囲気下、２２０℃以上３９０℃以下の熱処理温度で熱処理し、熱処理済み粒子を得る工程と、
前記熱処理済み粒子と、組成にコバルトおよびニッケルの少なくとも一方を含み層状構造を有するリチウム遷移金属複合酸化物粒子を含む正極活物質とを、前記熱処理済み粒子の前記リチウム遷移金属複合酸化物粒子に対する含有率が、ジルコニウムとして０．２５ｍｏｌ％以上２．２ｍｏｌ％以下となるよう混合し、非水系二次電池用正極材料を得る工程と
を含む非水系二次電池用正極材料の製造方法。
【請求項２】
前記熱処理温度は、２７０℃以上３８０℃以下である請求項１に記載の非水系二次電池用正極材料の製造方法。
【請求項３】
前記熱処理温度は、３２０℃以上３７０℃以下である請求項２に記載の非水系二次電池用正極材料の製造方法。
【請求項４】
前記含有率が０．３ｍｏｌ％以上２．１ｍｏｌ％以下である請求項１から３のいずれかに記載の非水系二次電池用正極材料の製造方法。
【請求項５】
前記含有率が０．４ｍｏｌ％以上２．０ｍｏｌ％以下である請求項４に記載の非水系二次電池用正極材料の製造方法。
【請求項６】
得られる正極材料は、前記リチウム遷移金属複合酸化物粒子及びホウ化ジルコニウム粒子が、それぞれ実質的に独立した粒子として存在している請求項１から５いずれかに記載の非水系二次電池用正極材料の製造方法。
【請求項７】
前記リチウム遷移金属複合酸化物粒子が、下記式（１）
ＬｉａＮｉｘＣｏｙＭ１ｚＭ２ｗＯ２    （１）
（０．９５≦ａ≦１．５、０≦ｘ≦１、０≦ｙ≦１、ｘ＋ｙ≠０、０≦ｚ≦０．３５、０≦ｗ≦０．０２、ｘ＋ｙ＋ｚ＋ｗ≦１、Ｍ１はＡｌおよびＭｎからなる群より選択される少なくとも一種の元素であり、Ｍ２はＭｇ、Ｔｉ、Ｚｒ、Ｗ、Ｔａ、ＮｂおよびＭｏからなる群より選択される少なくとも一種の元素である）で表される組成を有する請求項１から６のいずれかに記載の非水系二次電池用正極材料の製造方法。
【請求項８】
１．１質量％以上１．４質量％以下の割合で酸素を有するホウ化ジルコニウム粒子と、
組成にコバルトおよびニッケルの少なくとも一方を含み層状構造を有するリチウム遷移金属複合酸化物粒子を含む正極活物質と
を含み、
前記ホウ化ジルコニウム粒子の前記リチウム遷移金属複合酸化物粒子に対する含有率が、ジルコニウムとして０．２５ｍｏｌ％以上２．２ｍｏｌ％以下である非水系二次電池用正極材料。
【請求項９】
前記ホウ化ジルコニウム粒子は、１．１９質量％以上１．３８質量％以下の割合で酸素を有する請求項８に記載の非水系二次電池用正極材料。
【請求項１０】
前記ホウ化ジルコニウム粒子は、１．２５質量％以上１．３５質量％以下の割合で酸素を有する請求項９に記載の非水系二次電池用正極材料。
【請求項１１】
前記含有率が０．３ｍｏｌ％以上２．１ｍｏｌ％以下である請求項８から１０のいずれかに記載の非水系二次電池用正極材料。
【請求項１２】
前記含有率が０．４ｍｏｌ％以上２．０ｍｏｌ％以下である請求項１１に記載の非水系二次電池用正極材料。
【請求項１３】
前記ホウ化ジルコニウム粒子と前記リチウム遷移金属複合酸化物粒子が、それぞれ実質的に独立した粒子として存在している、請求項８から１２のいずれかに記載の非水系二次電池用正極材料。
【請求項１４】
前記リチウム遷移金属複合酸化物が、下記式（１）
ＬｉａＮｉｘＣｏｙＭ１ｚＭ２ｗＯ２    （１）
（０．９５≦ａ≦１．５、０≦ｘ≦１、０≦ｙ≦１、ｘ＋ｙ≠０、０≦ｚ≦０．３５、０≦ｗ≦０．０２、ｘ＋ｙ＋ｚ＋ｗ≦１、Ｍ１はＡｌおよびＭｎからなる群より選択される少なくとも一種の元素であり、Ｍ２はＭｇ、Ｔｉ、Ｚｒ、Ｗ、Ｔａ、ＮｂおよびＭｏからなる群より選択される少なくとも一種の元素である）で表される組成を有する請求項８から１１のいずれかに記載の非水系二次電池用正極材料。
【請求項１５】
請求項８から１４のいずれかに記載の非水系二次電池用正極材料を含む正極と、
負極活物質を含む負極と、
フッ素を有するアニオンを含む電解質が溶解された非水電解液と
を備えた非水系二次電池。